(57)【特許請求の範囲】
【請求項１】
内底部と該内底部を囲む側壁部を有し上面が開口し内底部中央に中心孔が穿設されている平面形状略三角形のコンクリートブロックの複数を前記中心孔に支柱を介して積層したものをその略三角形のコンクリートブロックの鋭角頂部を対面させて組み合わせた組と、内底部と該内底部を囲む側壁部を有し上面が開口した平面形状略三角形のコンクリートブロックの複数を積層したものをその略三角形のコンクリートブロックの側壁部を対面させて組み合わせた組との繰り返しで水際線の方向に配置されていることを特徴とすることを特徴とする消波施設構造。
【請求項２】
略三角形のコンクリートブロックは前記内底部を囲む側壁部に所定間隔で整列した複数のスリットを有することを特徴とする請求項１記載の消波施設構造。
【請求項３】
支柱は水底に載置固定する基版に立設されていることを特徴とする請求項１又は２記載の消波施設構造。
【請求項４】
略三角形のコンクリートブロックは前記略三角形の頂部における前記側壁部に上下方向で貫通したガイド孔が複数穿設され、前記基版に支柱間で３本のガイドロッドが略三角形の配置で立設され、このガイドロッドは略三角形のコンクリートブロックのガイド孔に挿通することを特徴とする請求項１〜３いずれか記載の消波施設構造。
【請求項５】
支柱、基版がプレキャストコンクリートからなることを特徴とする請求項３又は４記載の消波施設構造。
【請求項６】
ガイドロッドがプレキャストコンクリートからなることを特徴とする請求項４又は５記載の消波施設構造。
【請求項７】
複数の支柱を所定間隔で立設した基版を水底に投入して固定し、支柱の頂部が水面付近に位置する状態において該支柱に、予め略三角形のコンクリートブロックに穿設してある中心孔を挿通することによって複数の略三角形のコンクリートブロックを上下方向で積層して配置した後、最上層の略三角形のコンクリートブロックを押さえるフレームを前記支柱の頂部間に連結することを特徴とする消波施設構造の構築方法。
【請求項８】
複数の支柱とガイドロッドを所定間隔で立設した基版を水底に投入して固定し、支柱及びガイドロッドの頂部が水面付近に位置する状態において該支柱及びガイドロッドに、予め略三角形のコンクリートブロックに穿設してある中心孔及びガイド孔を挿通することによって複数の略三角形のコンクリートブロックを上下方向で案内してその向きを揃えて積層して配置した後、最上層の略三角形のコンクリートブロックを押さえるフレームを前記支柱の頂部間に連結することを特徴とする消波施設構造の構築方法。
【発明の詳細な説明】
【０００１】
【発明の属する技術分野】
この発明は消波施設構造に関し、海岸の侵食を防止するために水際線を構造物で固めるものである。
【０００２】
【従来の技術】
消波施設構造としては、基本的には従来よりコンクリートケーソン等による築堤物が知られており、その他にテトラポッド（登録商標）等の異形コンクリートブロックの敷設がある。
【０００３】
【発明が解決しようとする課題】
しかしながら、異形コンクリートブロックの敷設には、積層する場合にはブロック脚部（つの部）が相互にからみ合うことで上下方向の結合はなされるものの、水平方向ではブロック相互の連結が必要となり、そのためにＵ字形フックをブロック側壁部に埋め込んでこれをシャックルにて結合することなどの連結手段を必要とする。この連結作業は敷設した水底において一つ々々行うのが通例であり、したがって、潜水作業が不可欠となる。
【０００４】
しかも、連結手段の多くは金具であるから耐食性に欠けるので耐久性に欠け、長期的見地からすると好ましいものとは言い難い。また、連結手段に耐久性を持たせようとするとコストが高くなる。
【０００５】
そこで、この発明はブロック相互の連結に潜水作業を必要とせず、構築作業性の優れた消波施設構造及びその構築方法を提供する。
【０００６】
【課題を解決するための手段】
この発明にかかる消波施設構造は、請求項１に記載したように、内底部と該内底部を囲む側壁部を有し上面が開口し内底部中央に中心孔が穿設されている平面形状略三角形のコンクリートブロックを前記中心孔に支柱を介して積層したものをその略三角形のコンクリートブロックの鋭角頂部を対面させて組み合わせた組と、内底部と該内底部を囲む側壁部を有し上面が開口した平面形状略三角形のコンクリートブロックの複数を積層したものをその略三角形のコンクリートブロックの側壁部を対面させて組み合わせた組との繰り返しで水際線に沿って配置されていることを特徴とすることを特徴とする。
【０００７】
そして、請求項２にかかる発明は、請求項１記載の発明において、略三角形のコンクリートブロックは前記内底部を囲む側壁部に所定間隔で整列した複数のスリットを有することを特徴とする。また、請求項３にかかる発明は、請求項１又は２記載の発明において、支柱は水底に載置固定する基版に立設されていることを特徴とする。
【０００８】
さらに、請求項４にかかる発明は、請求項１〜３いずれか記載の発明において、略三角形のコンクリートブロックは前記略三角形の頂部における前記側壁部に上下方向で貫通したガイド孔が複数穿設され、前記基版に支柱間で３本のガイドロッドが略三角形の配置で立設され、このガイドロッドは略三角形のコンクリートブロックのガイド孔に挿通することを特徴とする。また、請求項５にかかる発明は、請求項３又は４記載の発明において、支柱、基版がプレキャストコンクリートからなることを特徴とする。また、請求項６にかかる発明は、請求項４又は５記載の発明において、  ガイドロッドがプレキャストコンクリートからなることを特徴とする。
【０００９】
また、請求項７にかかる発明は、複数の支柱を所定間隔で立設した基版を水底に投入して固定し、支柱の頂部が水面付近に位置する状態において該支柱に、予め略三角形のコンクリートブロックに穿設してある中心孔を挿通することによって複数の略三角形のコンクリートブロックを上下方向で積層して配置した後、最上層の略三角形のコンクリートブロックを押さえるフレームを前記支柱の頂部間に連結することを特徴とする。
【００１０】
さらに、請求項８にかかる発明は、複数の支柱とガイドロッドを所定間隔で立設した基版を水底に投入して固定し、支柱及びガイドロッドの頂部が水面付近に位置する状態において該支柱及びガイドロッドに、予め略三角形のコンクリートブロックに穿設してある中心孔及びガイド孔を挿通することによって複数の略三角形のコンクリートブロックを上下方向で案内してその向きを揃えて積層して配置した後、最上層の略三角形のコンクリートブロックを押さえるフレームを前記支柱の頂部間に連結することを特徴とする。
【００１１】
【発明の実施の形態】
以下この発明の実施の形態を図に基づき説明する。図１及び図２に示すように、消波堤を設置すべき水域における水底ＷＢに基版１を固定し、この基版１に立設された複数の支柱２のそれぞれに、異形コンクリートブロック３の中心孔４を挿通して積層する。支柱２はその頂部が水面ＷＬに近接して配置され、水面ＷＬに浮かぶ作業船（図示省略）等から異形コンクリートブロック３をクレーン等で一つ一つ吊支し、又は、予め所定個数を中心孔４を合わせて積層したものをまとめてクレーン等で吊支して支柱２に中心孔４を挿通するものである。したがって、各異形コンクリートブロック３を連結するための潜水作業を必要としない。
【００１２】
異形コンクリートブロック３は、図３〜５に示すように、正三角形の鋭角頂部３ａを切除した略三角形の箱状体で、上方が開口した内底部３ｂが３つの側壁部３ｃにて形成され、その側壁部３ｃには複数のスリット３ｄが所定間隔にて整列し、しかもそのスリット３ｄは左右方向へ所定の角度で開いて方形窓３ｅに開放されたプレキャストコンクリートブロックである。内底部３ｂには中心孔４と水抜き孔３ｇがそれぞれ略台形断面形状にて穿設されている。なお、鋭角頂部３ａは切除したが、製造後の取り扱いや搬送時にその形状を維持することが可能であれば、鋭角頂部３ａは切除することなくあってもよい。したがって、スリット３ｄや水抜き孔３ｇが設けられているから、異形コンクリートブロック３は水中に沈み易く、また、側壁部３ｃで囲まれた内底部３ｂには小石等の充填物９を投入でき、海水の汚濁をろ過し、また水中小動・植物の生息及び繁茂場所となる。
【００１３】
一方、基版１は、図６に示すように、コンクリートスラブ等からなる板体１０に複数の支柱２を立設したものであって、支柱２は好ましくはプレキャストコンクリートからなり、その直径は前記中心孔４の最小内径よりも小なる直径であり、高さは異形コンクリートブロック３の高さにそれを積層する個数を乗じた高さとほぼ等しい寸法である。支柱２間の距離は、図２に示すように、異形コンクリートブロック３の鋭角頂部３ａを対面させて整列する組と一辺（側壁部３ｃ）を対面させて整列する組との繰り返しで複数の異形コンクリートブロック３を配置するものとして、鋭角頂部３ａ，３ａを対面させた異形コンクリートブロック３，３における中心孔４，４間の距離とほぼ一致する距離、及び、側壁部３ｂを対面させて整列した異形コンクリートブロック３，３を鋭角頂部３ａ，３ａを対面させた異形コンクリートブロック３，３で挟んだ配置の中心孔４，４間の距離である。なお、支柱２の頂部は図６中の円内に示すように円錐形仕上げとしてもよい。
【００１４】
全ての支柱２に所定個数の異形コンクリートブロック３が積層されると、支柱２の頂部間にフレーム８を連結する。フレーム８は略方形の枠体で、好ましくはプレキャストコンクリートからなり、図２に示すように、隣接する一対の支柱２間を結んでそのフレーム８で囲まれる異形コンクリートブロック３を押さえる作用をするもので、支柱２が倒れた場合にそのフレーム８と基版１とで各異形コンクリートブロック３がばらばらにならないように保持する。なお、フレーム８と支柱２の連結は、一例として、支柱２の頂部にめねじ付きインサートを埋設しておくとともに、フレームにはそのインサートに対応する透孔を備えた凹部を形成しておき、その凹部から透孔にボルト１３を挿入してインサートに締結したボルト固定部７を形成する。
【００１５】
なお、中心孔４に支柱２を挿通して水中に落下させただけでは、各異形コンクリートブロック３の位置が定まらないので、各異形コンクリートブロック３を上下方向で整列させるために、図７に示すように、截頭頂部６にガイド孔５を穿設した異形コンクリートブロック３０を形成することとしてもよい。このガイド孔５には基版１に立設したガイドロッド１１が挿通される。異形コンクリートブロック３０は、図８〜１０に示すように、截頭頂部６にガイド孔５を穿設したこと以外は、前記異形コンクリートブロック３と全く同じ構造である。そして、図１１に示すように、ガイドロッド１１は支柱２，２間の中央部に略三角形配置で３本が立設される。このガイドロッド１１はコンクリート製でなく金属棒であってもよい。したがって、中心孔４を支柱２に、ガイド孔５をガイドロッド１１に、それぞれ挿通する限りにおいて、水中に没して積層される異形コンクリートブロック３の向きは皆同じとなり、向きが区々となることはなく施工性を向上させる。
【００１６】
かくして、複数の支柱２又は支柱２とガイドロッド１１を所定間隔で立設した基版１を水底に投入して固定し、支柱２又は支柱２とガイドロッド１１の頂部が水面付近に位置する状態において該支柱２又は支柱２とガイドロッド１１に、予め異形コンクリートブロックに穿設してある中心孔４又は中心孔４とガイド孔５を挿通することによって複数の異形コンクリートブロック３を上下方向で案内してその向きを揃えて積層した後、最上層の前記異形コンクリートブロック３，３０を押さえるフレーム８を前記支柱２の頂部間に連結する。また、異形コンクリートブロック３，３０の内底部に充填物９を投入しつつ積層すれば、潜水作業を要することなく、水面上からコンクリートブロック３，３０を重ねて安定した消波施設１４が水中に構築される。
【００１７】
【発明の効果】
以上説明したこの発明によれば、支柱の頂部を水面付近に位置させた状態でその支柱に中心孔を挿通して異形コンクリートブロックを積層するために、各異形コンクリートブロックを連結するための潜水作業やブロック相互の連結金具を不要にする、コスト安価な消波施設を簡便迅速かつ容易に構築できる。
【図面の簡単な説明】
【図１】この発明の実施の形態としての消波施設の正面図である。
【図２】この発明の実施の形態としての消波施設の平面図である。
【図３】この発明の消波施設に用いる異形コンクリートブロックの平面図である。
【図４】この発明の消波施設に用いる異形コンクリートブロックの正面図である。
【図５】図３のＡ−Ａ断面図である。
【図６】この発明の消波施設に用いる支柱を立設した基版の斜視図である。
【図７】この発明の他の実施の形態としての消波施設の要部平面図である。
【図８】図７の消波施設に用いる異形コンクリートブロックの平面図である。
【図９】図７の消波施設に用いる異形コンクリートブロックの正面図である。
【図１０】図８のＢ−Ｂ断面図である。
【図１１】図７の消波施設に用いる支柱とガイドロッドを立設した基版の斜視図である。
【符号の説明】
ＷＢ…水底
１…基版
２…支柱
３，３０…異形コンクリートブロック
３ｂ…内底部
３ｃ…側壁部
３ｄ…スリット
４…中心孔
５…ガイド孔
６…截頭頂部
７…ボルト固定部
８…フレーム
９…充填物
１１…ガイドロッド
１３…ボルト
１４…消波施設
【図１】
0004181273.tif 000002
【図２】
0004181273.tif 000003
【図３】
0004181273.tif 000004
【図４】
0004181273.tif 000005
【図５】
0004181273.tif 000006
【図６】
0004181273.tif 000007
【図７】
0004181273.tif 000008
【図８】
0004181273.tif 000009
【図９】
0004181273.tif 000010
【図１０】
0004181273.tif 000011
【図１１】
0004181273.tif 000012